(57)【要約】【課題】従来の自発光の映像表示システムでは、入射光の影響により鮮明に表示が行えず、又、表示に常時電力を消費することから維持コストが高い等の問題があった。【解決手段】この発明の反射型映像表示装置及びシステムは、画像保持機能を有する反射型表示デバイス７、通信部２、制御部３、画像表示部５、電源制御部４を備える。通信部２は画像データを受信して制御部３に入力する。制御部３は、電源制御部５に画像形成部５への電源供給を開始させると共に画像データを画像表示部５に入力する。画像表示部５は、そのデータにより画像の形成を行い、表示デバイス７に表示させる。この反射型映像表示装置によれば、鮮明に映像を表示することができると共に、電力を節減することができる。【選択図】図１
2008003137.tif 000002
【特許請求の範囲】
【請求項１】
入力された画像データに基づいて給電時に画像を形成し、非給電時に前記形成された画像を保持すると共に外光を反射してその画像を表示する反射型表示手段と、前記反射型表示手段への給電を制御する電源制御部と、表示指令が入力されたとき前記電源制御部に前記給電を行わせると共に前記画像データを前記反射型表示手段に入力する制御部と、外部からの前記表示指令と前記画像データとを受信して前記制御部に入力する通信手段とを備えた反射型映像表示装置。
【請求項２】
入力された画像データに基づいて給電時に画像を形成し、非給電時に前記形成された画像を保持すると共に外光を反射してその画像を表示する反射型表示手段と、前記反射型表示手段への給電を制御する電源制御部と、入力された画像データを蓄積画像として記憶し且つ入力された表示スケジュールのデータを表示スケジュールとして記憶し、内部時計の時刻と前記表示スケジュールとに基づいて前記電源制御部に前記給電の制御を行わせると共に、前記蓄積画像のデータを前記反射型表示手段に入力する制御部と、外部から前記表示スケジュールのデータと前記蓄積画像のデータとを受信し、これらのデータを前記制御部に入力する通信手段とを備えた反射型映像表示装置。
【請求項３】
電源タイマーを備え、前記電源タイマーに設定される時刻に基づいて前記制御部及び通信手段への電力の供給を制御するようにしたことを特徴とする請求項２に記載の反射型映像表示装置。
【請求項４】
前記電源制御部は、前記非給電時にソーラーパネルからの給電によりバッテリーを充電し、前記給電時に前記バッテリーを放電して前記反射型表示手段に供給することを特徴とする請求項２に記載の反射型映像表示装置。
【請求項５】
前記制御部は、緊急割込み画像のデータを記憶しており、前記通信手段が受信した外部からの緊急割込み指令に基づいて前記電源制御部に前記給電を行わせると共に、前記緊急割込み画像のデータを前記反射型表示手段に入力することを特徴とする請求項２に記載の反射型映像表示装置。
【請求項６】
前記制御部は、前記記憶した蓄積画像のデータを選択する選択リストを記憶しており、前記通信手段が受信した外部からの選択信号に対応する蓄積画像のデータを前記選択リストに基づいて選択して前記反射型表示手段へ入力することを特徴とする請求項２に記載の反射型映像表示装置。
【請求項７】
入力された画像データに基づいて給電時に画像を形成し、非給電時に前記形成された画像を保持すると共に外光を反射してその画像を表示する反射型表示手段と、前記反射型表示手段への給電を制御する電源制御部と、入力された画像データを蓄積画像として記憶し且つ外部に発生するイベントと前記蓄積画像との対応を示すイベントリストを記憶し、外部からのイベント検出信号を受けたとき前記電源制御部に前記給電を行わせると共に、前記記憶したイベントリストに基づき前記イベント検出信号に対応する蓄積画像のデータを選択して前記反射型表示手段に入力する制御部と、外部から前記イベント検出信号と前記画像データを受信してこれらを前記制御部に入力する通信手段とを備えた反射型映像表示装置。
【請求項８】
請求項１に記載の反射型映像表示装置と、操作者により操作され前記表示指令と前記画像データとを前記通信手段に送信する制御装置とを備えた反射型映像表示システム。
【請求項９】
請求項２に記載の反射型映像表示装置と、操作者により操作され前記画像データと前記表示スケジュールのデータとを前記通信手段に送信する制御装置とを備えた反射型映像表示システム。
【請求項１０】
請求項７に記載の反射型映像表示装置と、操作者により操作され前記画像データと前記イベントリストのデータを前記通信手段に送信する制御装置と、イベントを検出し前記イベント検出信号を前記通信手段に送信するイベント検出装置とを備えた反射型映像表示システム。
【請求項１１】
請求項１に記載の反射型映像表示装置を複数個配列した反射型映像表示装置群と、前記複数個の反射型映像表示装置の通信手段に連鎖画像データを送信し前記反射型映像表示装置群を制御して前記連鎖画像データに基づく連鎖画像を形成させる連鎖制御装置とを備えた反射型映像表示システム。
【請求項１２】
前記連鎖画像データを記憶する連鎖画像データ記憶手段と、前記複数個の反射型映像表示装置を連鎖して制御する連鎖リストを記憶する連鎖リスト記憶手段とを備え、前記連鎖制御装置は、前記記憶した連鎖リストに基づいて、前記複数個の反射型映像表示装置の通信手段に前記記憶した連鎖画像データを送信し前記反射型映像表示装置群を制御して連鎖画像を形成させることを特徴とする請求項１１に記載の映像表示システム。
【発明の詳細な説明】
【技術分野】
【０００１】
この発明は、例えば床面に設置され外光を反射して画像表示を行う反射型映像表示装置、及びその反射型映像表示装置を備えた映像表示システムに関するものである。
【背景技術】
【０００２】
従来の床面に設置された映像表示システムは、自発光の光源を備えその光源による光により画像を表示し、或いは蛍光体を用いて画像を表示する表示装置を使用していた。（例えば、特許文献１参照）
【０００３】
【特許文献１】特開２００２−６２８３２号公報
【発明の開示】
【発明が解決しようとする課題】
【０００４】
従来の床面に設置する映像表示システムによれば、表示装置の表示部に自発光による表示デバイスを用いており、光が入り易い床面設置の場合、画像を鮮明に表示できず、又、画像の表示に常時電力を消費することから維持コストが高く、さらに停電時の表示にはバッテリー装置が必要になるという問題があった。
【０００５】
この発明は、従来の装置に於ける上記のような課題を解決するためになされたものであり、光が入り易い例えば床面に設置しても鮮明に画像を表示することができ、かつ、画像の表示維持に電力を消費することのない反射型映像表示装置を獲ることを目的とする。
【０００６】
又、この発明は、反射型映像表示装置を用いて、目的に合わせて所望の表示を行い得る反射型映像表示システムを得ることを目的とする。
【課題を解決するための手段】
【０００７】
この発明による反射型映像表示装置は、入力された画像データに基づいて給電時に画像を形成し、非給電時に前記形成された画像を保持すると共に外光を反射してその画像を表示する反射型表示手段と、前記反射型表示手段への給電を制御する電源制御部と、表示指令が入力されたとき前記電源制御部に前記給電を行わせると共に前記画像データを前記反射型表示手段に入力する制御部と、外部からの前記表示指令と前記画像データとを受信して前記制御部に入力する通信手段とを備えたものである。
【０００８】
更に、この発明による反射型映像表示装置は、入力された画像データに基づいて給電時に画像を形成し、非給電時に前記形成された画像を保持すると共に外光を反射してその画像を表示する反射型表示手段と、前記反射型表示手段への給電を制御する電源制御部と、入力された画像データを蓄積画像として記憶し且つ入力された表示スケジュールのデータを表示スケジュールとして記憶し、内部時計の時刻と前記表示スケジュールとに基づいて前記電源制御部に前記給電の制御を行わせると共に、前記蓄積画像のデータを前記反射型表示手段に入力する制御部と、外部から前記表示スケジュールのデータと前記蓄積画像のデータとを受信し、これらのデータを前記制御部に入力する通信手段とを備えたものである。
【０００９】
又、この発明による反射型映像表示装置は、入力された画像データに基づいて給電時に画像を形成し、非給電時に前記形成された画像を保持すると共に外光を反射してその画像を表示する反射型表示手段と、前記反射型表示手段への給電を制御する電源制御部と、入力された画像データを蓄積画像として記憶し且つ外部に発生するイベントと前記蓄積画像との対応を示すイベントリストを記憶し、外部からのイベント検出信号を受けたとき前記電源制御部に前記給電を行わせると共に、前記記憶したイベントリストに基づき前記イベント検出信号に対応する蓄積画像のデータを選択して前記反射型表示手段に入力する制御部と、外部から前記イベント検出信号と前記画像データを受信してこれらを前記制御部に入力する通信手段とを備えたものである。
【００１０】
又、この発明による反射型映像表示システムは、入力された画像データに基づいて給電時に画像を形成し、非給電時に前記形成された画像を保持すると共に外光を反射してその画像を表示する反射型表示手段と、前記反射型表示手段への給電を制御する電源制御部と、表示指令が入力されたとき前記電源制御部に前記給電を行わせると共に前記画像データを前記反射型表示手段に入力する制御部と、外部からの前記表示指令と前記画像データとを受信して前記制御部に入力する通信手段とを有する反射型映像表示装置、及び、操作者により操作され前記表示指令と前記画像データとを前記通信手段に送信する制御装置を備えたものである。
【００１１】
又、この発明による反射型映像表示システムは、入力された画像データに基づいて給電時に画像を形成し、非給電時に前記形成された画像を保持すると共に外光を反射してその画像を表示する反射型表示手段と、前記反射型表示手段への給電を制御する電源制御部と、入力された画像データを蓄積画像として記憶し且つ入力された表示スケジュールのデータを表示スケジュールとして記憶し、内部時計の時刻と前記表示スケジュールとに基づいて前記電源制御部に前記給電の制御を行わせると共に、前記蓄積画像のデータを前記反射型表示手段に入力する制御部と、外部から前記表示スケジュールのデータと前記蓄積画像のデータとを受信し、これらのデータを前記制御部に入力する通信手段とを有する反射型映像表示装置、及び、操作者により操作され前記画像データと前記表示スケジュールのデータとを前記通信手段に送信する制御装置を備えたものである。
【００１２】
更に、この発明による反射型映像表示システムは、入力された画像データに基づいて給電時に画像を形成し、非給電時に前記形成された画像を保持すると共に外光を反射してその画像を表示する反射型表示手段と、前記反射型表示手段への給電を制御する電源制御部と、入力された画像データを蓄積画像として記憶し且つ外部に発生するイベントと前記蓄積画像との対応を示すイベントリストを記憶し、外部からのイベント検出信号を受けたとき前記電源制御部に前記給電を行わせると共に、前記記憶したイベントリストに基づき前記イベント検出信号に対応する蓄積画像のデータを選択して前記反射型表示手段に入力する制御部と、外部から前記イベント検出信号と前記画像データを受信してこれらを前記制御部に入力する通信手段とを有する反射型映像表示装置、及び操作者により操作され前記画像データと前記イベントリストのデータとを前記通信手段に送信する制御装置、及び前記イベントを検出して前記イベント検出信号を前記通信手段に送信するイベント検出装置を備えたものである。
【００１３】
又、この発明による反射型映像表示システムは、入力された画像データに基づいて給電時に画像を形成し、非給電時に前記形成された画像を保持すると共に外光を反射してその画像を表示する反射型表示手段と、前記反射型表示手段への給電を制御する電源制御部と、表示指令が入力されたとき前記電源制御部に前記給電を行わせると共に前記画像データを前記反射型表示手段に入力する制御部と、外部からの前記表示指令と前記画像データとを受信して前記制御部に入力する通信手段とを有する反射型映像表示装置を複数個配列した反射型映像表示装置群、及び前記複数個の反射型映像表示装置の通信手段に連鎖画像データを送信し前記反射型映像表示装置群を制御して前記連鎖画像データに基づく連鎖画像を形成させる連鎖制御装置を備えたものである。
【発明の効果】
【００１４】
この発明による反射型映像表示装置によれば、外光が入り易い床面に設置されても明瞭に画像を表示することができ、且つ、画像の形成時にのみ電力を供給するように制御するので、消費電力の削減を行うことができる。
【００１５】
更に、この発明による反射型映像表示装置によれば、制御装置から事前に床面反射型表示装置に表示スケジュールのデータ及び蓄積画像データを送ることができるようにしたので、表示したい時点で一々制御装置を接続する必要がなく省力化を図ることができる。
【００１６】
更に、この発明による反射型映像表示装置によれば、イベント検出装置からのイベント検出信号によりイベントに合わせた画像の表示を行うことができ、例えばドアの開閉をイベントとして扱うことにより、ドアが開いたことに呼応して自動的に画像の表示を切り替えることができる。
【００１７】
又、この発明による反射型映像表示システムによれば、外光が入り易い床面に設置されても明瞭に画像を表示することができ、且つ、画像の形成時にのみ電力を供給するように制御するので、消費電力の削減を行うことができ、且つ操作者により操作され表示指令と画像データとを反射型映像表示装置の通信手段に送信する制御装置を備えているので、任意の時刻に所望の画像を表示することができる。
【００１８】
更に、この発明による反射型映像表示システムによれば、制御装置から事前に床面反射型表示装置に表示スケジュールのデータ及び蓄積画像データを送ることができるようにしたので、表示したい時点で一々制御装置を接続する必要がなく省力化を図ることができ、且つ操作者により操作され前記画像データと前記表示スケジュールのデータとを前記通信手段に送信する制御装置とを備えているので、表示スケジュール及び画像データを容易に設定することができる、。
【００１９】
又、この発明による反射型映像表示システムによれば、イベント検出装置からの指令によりイベントに合わせた画像の表示を行うことができることから、例えばドアの開閉をイベントとして扱うことにより、ドアが開いたことに呼応して自動的に画像の表示を切り替えることができる。更に、イベント検出装置により異なるイベントを検出して夫々のイベントに対応した画像を表示することができる。
【００２０】
更に、この発明による反射型映像表示システムによれば、、複数の反射型表示装置を組み合わせて扱うことができ、表示解像度が不足する場合に複数の反射型表示装置を並べることにより補ったり、離れた場所に設置した床面設置反射型映像表示装置群に順序立て連鎖した動的な画像を表示することができる。
【発明を実施するための最良の形態】
【００２１】
この発明による映像表示装置は、鉄道ターミナルや空港ターミナル等の床面に反射型表示デバイスを埋め込み、床面を通行する人々に画像情報を提供するようにした床面設置反射型映像表示装置として実施されるのが最適であり、以下の各実施の形態の説明では、この発明に係る映像表示装置を床面設置反射型映像表示装置に実施した場合について説明する。尚、勿論、この発明は、床面設置以外、例えば壁面等に設置することも可能である。
【００２２】
実施の形態１
図１は、この発明の実施の形態１による床面設置反射型映像表示装置の構成を示すブロック図、図２はその設置状態を示す説明図、図３は動作を説明するための説明図である。図１に於いて、通信機１は、図示していない外部の制御装置から表示指令と、表示すべき文字、図形、写真若しくはイラスト（以下、これらを総称して、画像と称する）の画像データとを受信する。この実施の形態１では、通信機１は無線通信機により構成されているものとするが、勿論、有線通信機であっても良い。
【００２３】
通信部２は、通信機１が受信した表示指令と画像データとを受け、この表示指令と画像データとを制御部３に伝達する。通信機１と通信部２とは、通信手段を構成する。制御部３は、通信部２から受けた表示指令に基づき電源制御部４、及び画像表示部５を制御すると共に、画像表示部５に画像データを入力する。画像表示部５は、入力された画像データを処理して表示すべき画像を形成する。通信部２と制御部３と電源制御部４と画像表示部５とは、表示装置制御部６を構成している。表示手段としての表示デバイス７は、周知の電子ペーパー等の映像保持機能付き反射型表示デバイスにより構成されており、画像表示部５から表示データを処理して形成した画像を表示する。
【００２４】
電子ペーパーは、蛍光灯や日光等の外光を反射させて画像を表示する反射型表示装置であり、コントラスト比が変わることがなく、明るい外光の中ほど明確に画像を表示することができる。又、画像の切り替えの時にのみ電力供給が必要であり、その後は電源を遮断してもその画像が保持されるので、消費電力を極めて少なくすることができる。この電子ペーパーは、この発明の映像表示装置の表示デバイス７として用いるのに最適である。
【００２５】
電源８は、商用電源、バッテリー、或いはそれらを複合した電源装置であり、電源制御部４を介して画像表示部５に電力を供給する。外部記憶手段９は、メモリーカード等により構成され、外部から通信機１及び通信部２を介して与えられる画像の表示データとは別に、表示すべき画像データを記憶しており、必要に応じてその画像データを画像表示部５に入力する。実施の形態１に於いて、通信機１、表示装置制御部６、表示デバイス７、電源８、外部記憶手段９は、床面設置反射型映像表示装置１００を構成している。
【００２６】
図２は、床面設置反射型映像表示装置１００の設置状態を示す説明図で、図２に示すように、床面設置反射型映像表示装置１００は、表示デバイス７の表示面を天面に向けて床１０に埋め込まれている。床１０を通行する人々は、床面設置反射型映像表示装置１００の表示デバイス７の表示面の画像を目視することができる。
【００２７】
図３は、実施の形態１に於ける床面設置反射型映像表示装置１００を備えた映像表示システム全体の動作を説明するための説明図である。図３に於いて、床面設置反射型映像表示装置１００の外部に設けられている制御装置１１は、内蔵する通信機（図示せず）により、床面設置反射型映像表示装置１００の通信機１に制御指令及び表示すべき画像の表示データを無線により送信する。送信する画像データは、データカード１２に記録されている画像データを読み取り、符号化して通信機により送信する。尚、送信する画像データは、データカード１２に基づくものに限定されるものではない。又、制御装置１１と床面設置反射型映像表示装置１００との通信は、無線に限らず、有線であっても良いことは勿論である。
【００２８】
次に動作について説明する。図１乃至図３に於いて、先ず、操作者は、制御装置１１に表示すべき画像データを記録したデータカード１２を準備する。次に、操作者は、データカード１２から読み取った画像データと表示指令を、制御装置１１から床面設置反射型映像表示装置１００の通信機１に送信する。図３では、画像データの流れを鎖線の矢印で表示し、表示指令に基づく制御の流れを実線の矢印で表示している。
【００２９】
画像データと表示指令とを受信した通信機１は、これらの信号を通信部２に入力する。通信部２は、入力された表示指令と画像データとを制御部３に入力する。制御部３は、入力された表示指令に基づいて電源制御部４に電力供給の開始を伝え、電源制御部４により電源８から画像表示部５に電力の供給を開始させる。又、制御部３は、画像データを画像表示部５に入力する。画像表示部５は、入力された画像データを処理して画像を形成し表示デバイス７にその画像を表示させる。
【００３０】
制御部３は、画像表示部５による画像の形成及び表示デバイス７によるその画像の表示完了後、電源制御部４に電力供給の終了を伝え、電源制御部１４はこれを受けて画像表示部５への電力供給を終了する。画像表示部５及び表示デバイス７は、電力供給が終了しても電力供給時に形成した画像データに基づく画像を保持している。床１０に埋め込まれた床面設置反射型映像表示装置１００の表示デバイス７は、自然光若しくは蛍光灯等の人工の光を反射することで、その保持している画像を鮮明に表示する。これにより、床１０を通行する人々は、その画像を目視することができる。
【００３１】
表示している画像を別の画像に変更する時は、操作者は、制御装置１１のデータカード１２を差し替え、表示指令と共に新たな画像データを通信機１へ送信する。これにより、前述と同様に、画像表示部５に電力を供給して新たな画像データに基づく新たな画像を形成させ、その画像を表示デバイス７に表示させる。画像を書き換えた後は、電源制御部４により電力の供給を停止し、保存したその画像を表示デバイス７により表示する。
【００３２】
以上述べたこの発明の実施の形態１に係る床面設置反射型映像表示装置によれば、入射光により表示を行う反射型表示デバイスを光が入り易い床面設置表示装置の表示デバイスとして用いることにより表示ができ、かつ、画像保持機能つき反射型表示デバイスを用いて表示制御にだけ電力を供給するように制御したことにより表示の書き換え時以外では表示に全く電力を使用せず、消費電力の削減を行うことができる。
【００３３】
実施の形態２．
図４は、この発明の実施の形態２に係る床面設置反射型映像表示装置１００を備えた映像表示システム全体の動作を説明するための説明図である。図４に於いて、床面設置反射型映像表示装置１００の制御部３１は、内部時計１３と、表示時間を定めた表示スケジュール１４と、表示すべき蓄積画像１５とを備える。制御部３１が有する表示スケジュール１４と蓄積画像１５とは、外部の制御装置１１から通信機１（図示せず）及び通信部２を介して送信された表示スケジュールのデータと画像データとを夫々記録手段に記憶したものである。その他の構成は、図１〜図３に示す実施の形態１と同様である。
【００３４】
次に動作について説明する。図４に於いて、先ず、操作者は、制御装置１１に、表示すべき画像データを記録したデータカード（図示せず）と、画像の表示時間を定めた表示スケジュールのデータを準備する。次に、操作者は、データカード１２から読み取った画像データと、表示スケジュールのデータとを、制御装置１１から床面設置反射型映像表示装置１００の通信機１に送信する。
【００３５】
画像データと表示スケジュールのデータとを受信した通信機１は、これらのデータの信号を通信部２に入力する。通信部２は、入力された画像データと表示スケジュールのデータとを制御部３に入力する。制御部３は、入力された画像データを記憶手段に記憶し蓄積画像１５として保存すると共に、表示スケジュールのデータを記憶手段に記憶し表示スケジュール１４として保存する。
【００３６】
このようにして、操作者は、事前に制御部３１に蓄積画像１５と表示スケジュール１４とを保存させるが、以降、操作者の操作は不要となる。制御部３１は、保存した表示スケジュール１４の時刻と内部時計１３の時刻とが一致した時点で、電源制御部４に電力供給の開始を伝え、電源制御部４により電源８（図１参照）から画像表示部５に電力の供給を開始させる。又、制御部３１は、保存している蓄積画像１５のデータを画像表示部５に入力する。画像表示部５は、入力された画像データを処理して画像を形成し表示デバイス７（図１参照）にその画像を表示させる。
【００３７】
制御部３１は、画像表示部５による画像の形成及び表示デバイス７によるその画像の表示後、電源制御部４に電力供給の終了を伝え、電源制御部１４はこれを受けて画像表示部５への電力供給を終了する。画像表示部５及び表示デバイス７は、電力供給が終了しても電力供給時に形成した表示データに基づく画像を保持している。床１０に埋め込まれた床面設置反射型映像表示装置１００の表示デバイス７は、自然光若しくは蛍光灯等の人工の光を反射することで、その保持している画像を鮮明に表示する。これにより、床１０を通行する人々は、その画像を目視することができる。
【００３８】
制御部３１は、次のスケジュールと内部時計が一致した時点で、電源制御部４に電力供給の開始を伝え、電源８（図１参照）から画像表示部５に電力の供給を開始させる。又、制御部３１は、保存している別の蓄積画像１５のデータを画像表示部５に入力する。画像表示部５は入力された蓄積画像のデータを処理してその画像を形成し表示デバイス７（図１参照）にその画像を表示させる。制御部３１は、その表示完了後、前記と同様に、電源制御部４に電力供給の終了を伝え、画像表示部５への電力供給を停止させる。以降、この動作を繰り返す。尚、図１に示す外部記憶手段９に記憶した画像データを用いて、必要に応じて画像表示部５により画像を形成し表示デバイス７に表示させることができる。
【００３９】
実施の形態２による床面設置反射型映像表示装置によれば、制御装置から事前に床面反射型表示装置に表示スケジュールのデータ及び蓄積画像データを送ることができるようにしたので、表示したい時点で一々制御装置を操作する必要がなく省力化を図ることができる。
【００４０】
実施の形態３．
図５は、この発明の実施の形態３に係る床面設置反射型映像表示装置１００を備えた映像表示システム全体の動作を説明するための説明図である。図５に於いて、電源制御部４１は、電源タイマー１６を備える。電源タイマー１６は、操作者によるメンテナンスの実施時刻と終了時刻、及び表示スケジュールによる画像形成の実施時刻と終了時刻が設定される。電源制御部４１は、電源タイマー１６に設定されたメンテナンスの実施時刻と終了時刻に従って通信機１と通信部２及び制御部３１への電力供給を制御し、更に電源タイマー１６に設定された表示スケジュールによる画像形成の実施時刻と終了時刻に従って制御部３１への電力供給を制御する。その他の構成は、図４に示す実施の形態２と同様である。
【００４１】
次に動作について説明する。図５に於いて、先ず、操作者は、制御装置１１に、表示すべき画像の画像データを記録したデータカード（図示せず）と、画像の表示時間を定めたスケジュールデータとを準備する。又、操作者は、メンテナンスの実施時刻と終了時刻、及び表示スケジュールに基づく画像表示部５による画像形成の実施時刻と終了時刻を電源タイマー１６に設定する。
【００４２】
電源制御部４１は、電源タイマー１６に設定されたメンテナンスの実施時刻になると、通信機１、通信部２及び制御部３１に電力供給を開始する。次に、操作者は、メンテナンスとして、制御装置１１から床面設置反射型映像表示装置１００の通信機１（図１参照）に表示すべき画像データと表示スケジュールのデータとを送信する。画像データと表示スケジュールのデータとを受信した通信機１は、これらのデータの信号を通信部２に入力する。通信部２は、入力された画像データと表示スケジュールのデータとを制御部３に入力する。制御部３は、入力された画像データを蓄積画像１５として記憶手段に記憶して保存すると共に、表示スケジュールのデータを表示スケジュール１４として記憶手段に記憶して保存する。
【００４３】
電源制御部４１は、電源タイマー１６に設定されたメンテナンス終了時刻になると、通信機１、通信部２及び制御部３１への電力供給を終了する。以降、操作者の操作は不要となる。
【００４４】
次に、電源制御部４１は、電源タイマー１６に設定された時刻になると制御部３１への電力供給を開始する。制御部３１は、保存した表示スケジュール１４の時刻と内部時計１３の時刻とが一致した時点で、電源制御部４１に電力供給開始を伝え、電源制御部４１により電源８（図１参照）から画像表示部５に電力の供給を開始させる。又、制御部３１は、保存している蓄積画像１５のデータを画像表示部５に入力する。画像表示部５は入力された蓄積画像のデータを処理して画像を形成し表示デバイス７（図１参照）にその画像を表示させる。
【００４５】
制御部３１は、画像表示部５による画像の形成及び表示デバイス７によるその画像の表示後、電源制御部４に電力供給の終了を伝え、電源制御部１４はこれを受けて画像表示部５への電力供給を終了する。又、電源タイマー１６に設定された表示終了時刻になると、電源制御部４１は制御部３１への電力供給を停止させる。画像表示部５及び表示デバイス７は、電力供給が終了しても電力供給時に形成した表示データに基づく画像を保持している。床１０に埋め込まれた床面設置反射型映像表示装置１００の表示デバイス７は、自然光若しくは蛍光灯等の人工の光を反射することで、その保持している画像を鮮明に表示する。これにより、床１０を通行する人々は、その画像を目視することができる。
【００４６】
電源制御部４１は、表示スケジュールに基づいて電源タイマー１６に設定された時刻になると、制御部３１に電源８から電力の供給を開始する。この状態にあるとき、制御部３１は、次の表示スケジュールと内部時計が一致した時点で、電源制御部４１に電力供給の開始を伝え、電源制御部４１により電源８から画像表示部５に電力の供給を開始させる。又、制御部３１は、保存している別の蓄積画像１５のデータを画像表示部５に入力する。画像表示部５は、入力された蓄積画像のデータを処理して画像を形成し表示デバイス７（図１参照）にその画像を表示させる。制御部３１は、その表示完了後、電力供給の終了を伝え、画像表示部５への電力供給を停止させる。又、電源制御部４１は、電源タイマー１６に設定された時刻になると、制御部３１への電力供給を停止させる。以降、この動作を繰り返す。
【００４７】
実施の形態３による床面設置反射型映像表示装置によれば、電源タイマーを備え、表示スケジュール及びメンテナンスのスケジュールに基づいて、電源のオン時刻、オフ時刻を設定することにより、更なる消費電力の削減を行うことができる。
【００４８】
実施の形態４．
図６は、この発明の実施の形態４に係る床面設置反射型映像表示装置１００を備えた映像表示システム全体の動作を説明するための説明図である。図６に於いて、電源制御部４２は、充電用のソーラーパネル（図示せず）とバッテリー（図示せず）とを備える。バッテリーは、非給電時にソーラーパネルからの給電により充電され、給電時にその充電された電力を放電して画像表示部５等に給電する。その他の構成は図４に示す実施の形態２と同様である。
【００４９】
次に動作について説明する。図６に於いて、先ず、操作者は、制御装置１１に、表示すべき画像データを記録したデータカード（図示せず）と、画像の表示時間を定めたスケジュールデータを準備する。次に、操作者は、データカード１２から読み取った画像データと、表示スケジュールのデータとを、制御装置２から床面設置反射型映像表示装置１００の通信機１に送信する。
【００５０】
表示データとスケジュールデータとを受信した通信機１は、これらのデータの信号を通信部２に入力する。通信部２は、入力された画像データと表示スケジュールのデータとを制御部３１に入力する。制御部３１は、入力された画像データを蓄積画像１５として記憶手段に記憶して保存すると共に、表示スケジュールのデータを記憶手段に記憶して表示スケジュール１４として保存する。
【００５１】
このようにして、操作者は、事前に制御部３１に蓄積画像１５と表示スケジュール１４とを保存させるが、以降、操作者の操作は不要となる。制御部３１は、保存した表示スケジュール１４の時刻と内部時計１３の時刻とが一致した時点で、電源制御部４２に電力供給を伝える。電源制御部４２はこれを受けて、ソーラーパネルによるバッテリーの充電から、バッテリーの放電へ切り替え、その放電電力を画像表示部１３へ供給する。
【００５２】
又、制御部３１は、保存している蓄積画像１５のデータを画像表示部５に入力する。画像表示部５は、入力された蓄積画像のデータを処理して画像を形成し表示デバイス７（図１参照）にその画像を表示させる。
【００５３】
制御部３１は、画像表示部５による画像の形成及び表示デバイス７によるその画像の表示完了後、電源制御部４に電力供給の終了を伝え、電源制御部１４はこれを受けてバッテリーの放電からソーラーパネルによるバッテリーの充電に切り替え、画像表示部５への電力の供給を終了する。画像表示部５及び表示デバイス７は、電力供給が終了しても電力供給時に形成した画像データに基づく画像を保持している。床１０に埋め込まれた床面設置反射型映像表示装置１００の表示デバイス７は、自然光若しくは蛍光灯等の人工の光を反射することで、その保持している画像を鮮明に表示する。これにより、床１０を通行する人々は、その画像を目視することができる。
【００５４】
制御部３１は、次のスケジュールと内部時計が一致した時点で、電源制御部４１に電力供給の開始を伝える。電源制御部４１は、これを受けて前記と同様にバッテリーの充電から放電に切り替え、その放電電力による画像表示部５への電力供給を開始させる。又、制御部３１は、保存している別の蓄積画像１５のデータを画像表示部５に入力する。画像表示部５は、入力された蓄積画像のデータを処理して画像を形成し表示デバイス７（図１参照）にその画像を表示させる。制御部３１は、その画像表示完了後、電源制御部４２に電力供給の終了を伝える。電源制御部４２は、これを受けてコンデンサの放電からソーラーパネルによるバッテリーの充電に切り替え、画像表示部５への電力の供給を終了する。以降、この動作を繰り返す。
【００５５】
電源制御部４１は、日照が十分であればソーラーパネルによるバッテリーへの充電で十分であるが、雨天等で日照が十分でないときは、電源８（図１参照）によりバッテリーを充電することができるよう構成されている。
【００５６】
入射光により表示を行う反射型デバイスが効果を発揮する設置環境は、ソーラー発電に
適した環境であり、この環境を利用して、実施の形態４による床面設置反射型映像表示装
置によれば、ソーラーパネルを備えた電源制御部を設けたことにより、ソーラーパネルの
みによるバッテリーの充電、又は、ソーラーパネルと電源８の併用によるバッテリーの充
電により、必要な電力を供給することができる。
【００５７】
実施の形態５．
図７は、この発明の実施の形態５に係る床面設置反射型映像表示装置１００を備えた映像表示システム全体の動作を説明するための説明図である。図７に於いて、緊急割込み装置１７は、例えば地震の発生を検知して通知する装置であり、制御部３２は、緊急割込み画像１８として地震警報画像を記憶手段に蓄積して備えている。その他の構成は、図４に示す実施の形態２と同様である。
【００５８】
次に動作について説明する。図７に於いて、先ず、操作者は、制御装置１１に、表示すべき画像データを記録したデータカード（図示せず）と、画像の表示時間を定めたスケジュールデータと、地震警報画像データとを準備する。次に、操作者は、データカード１２から読み取った画像データと、表示スケジュールのデータと、地震警報画像データとを、制御装置１１から床面設置反射型映像表示装置１００の通信機１に送信する。
【００５９】
画像データと表示スケジュールのデータと地震警報画像データとを受信した通信機１は、これらのデータの信号を通信部２に入力する。通信部２は、入力された画像データと表示スケジュールのデータと地震警報画像データとを制御部３２に入力する。制御部３２は、入力された画像データを蓄積画像１５として記憶手段に蓄積して保存すると共に、表示スケジュールのデータを表示スケジュール１４として記憶手段に記憶して保存する。又、地震警報画像データを緊急割込み画像１８として記憶手段に蓄積して保存する。
【００６０】
このようにして、操作者は、事前に制御部３２に蓄積画像１５と表示スケジュール１４と緊急警報画像１８とを保存させるが、以降、操作者の操作は不要となる。制御部３２は、保存した表示スケジュール１４の時刻と内部時計１３の時刻とが一致した時点で、電源制御部４に電力供給の開始を伝える。電源制御部４はこれを受けて電源８（図１参照）から画像表示部５に電力の供給を開始させる。又、制御部３２は、保存している蓄積画像１５のデータを画像表示部５に入力する。画像表示部５は入力された蓄積画像のデータを処理して画像を形成し表示デバイス７（図１参照）にその画像を表示させる。
【００６１】
制御部３２は、画像表示部５による画像の形成及び表示デバイス７によるその画像の表示完了後、電源制御部４に電力供給の終了を伝え、電源制御部１４はこれを受けて画像表示部５への電力供給を終了する。画像表示部５及び表示デバイス７は、電力供給が終了しても電力供給時に形成した表示データに基づく画像を保持している。床１０に埋め込まれた床面設置反射型映像表示装置１００の表示デバイス７は、自然光若しくは蛍光灯等の人工の光を反射することで、その保持している画像を鮮明に表示する。これにより、床１０を通行する人々は、その画像を目視することができる。
【００６２】
制御部３２は、次のスケジュールと内部時計が一致した時点で、電源制御部４に電力供給の開始を伝える。電源制御部４はこれを受けて電源８から画像表示部５に電力の供給を開始させる。又、制御部３２は、保存している別の蓄積画像１５のデータを画像表示部５に入力する。画像表示部５は入力された蓄積画像のデータを処理して画像を形成し表示デバイス７にその画像を表示させる。制御部３２は、その表示完了後、電力供給の終了を電源制御部４に伝え、電源制御部４はこれを受けて画像表示部５への電力供給を停止する。以降、この動作を繰り返す。
【００６３】
一方、この通常の画像表示動作の他に、外部の緊急割込み装置１７が地震の発生を検知したとき、制御装置１１は自動的に床面設置反射型映像表示装置１００の通信機１に、緊急警報画像表示指令を送信する。通信機１は、その緊急警報画像表示指令を通信部２を介して制御部３２に伝える。制御部３２は、これを受けて電源制御部４に電力供給の開始を伝える。電源制御部４はこれを受けて画像表示部５への電力供給を開始させる。
【００６４】
又、制御部３１は、緊急警報画像表示指令に基づいて画像表示部５に緊急割込み画像１８のデータを伝える。画像表示部５は、そのデータを受けて緊急警報画像を形成し反射型表示デバイス７（図１参照）に緊急警報画像を表示させる。緊急警報画像が反射型表示デバイスに表示された後、制御部３２は、電源制御部４に電力供給の終了を伝え画像表示部５への電力供給を終了させる。画像表示部５への電力の供給が終了しても、緊急警報画像は表示デバイス７に表示される。
【００６５】
実施の形態５による床面設置反射型映像表示装置によれば、地震警報装置等の緊急割込み装置が地震等の発生を検知した時、地震警報画像等の緊急割込み画像を、通常のスケジュールに割り込んで表示できるので、緊急警報画像を迅速に通知できると同時に緊急割込み事象(地震等)による一次電源の給電が停止した場合でも、反射型表示デバイスを備えた装置の特徴である画像保持機能により、緊急警報画像が保持され、緊急割込み事象の周知を継続することができる。
【００６６】
実施の形態６．
図８は、この発明の実施の形態６に係る床面設置反射型映像表示装置１００を備えた映像表示システム全体の動作を説明するための説明図である。図８に於いて、床面設置反射型映像表示装置１００の外部に選択スイッチ１９が設けられている。この選択スイッチ１９は、後述するように操作者が通常の表示スケジュールによる画像の表示とは別に、任意の時刻に選択した画像を表示させるためのものである。制御部３３は、選択スイッチ１９による選択に対応した蓄積画像を示す選択リスト２０を備える。選択リスト２０は、制御装置１１によりそのデータが通信機１に送信され、通信部２を介して制御部３４に入力されたデータを記憶手段に記憶して保存されたものである。その他の構成は、図４に示す実施の形態２と同様である。
【００６７】
次に動作について説明する。図８に於いて、先ず、操作者は、制御装置１１に、表示すべき画像データを記録したデータカード（図示せず）と、画像の表示時間を定めた表示スケジュールのデータと、選択リストのデータとを準備する。次に、操作者は、データカード１２から読み取った画像データと、表示スケジュールのデータと、選択リストのデータとを、制御装置１１から床面設置反射型映像表示装置１００の通信機１に送信する。
【００６８】
画像データと表示スケジュールのデータと選択リストのデータとを受信した通信機１は、これらのデータの信号を通信部２に入力する。通信部２は、入力された画像データと表示スケジュールのデータと選択リストのデータとを制御部３３に入力する。制御部３３は、入力された画像データを記憶手段に記憶して蓄積画像１５として保存し、表示スケジュールのデータを記憶手段に記憶して表示スケジュール１４として保存し、更に選択リストのデータを記憶手段に記憶して選択リスト２０として保存する。
【００６９】
このようにして、操作者は、事前に制御部３１に蓄積画像１５と表示スケジュール１４と選択リストとを保存させるが、通常時は、以降、操作者の操作は不要となる。制御部３３は、保存した表示スケジュール１４の時刻と内部時計１３の時刻とが一致した時点で電源制御部４に電源供給開始を伝え、電源制御部４により電源８（図１参照）から画像表示部５に電力の供給を開始させる。又、制御部３３は、保存している蓄積画像１５のデータを画像表示部５に入力する。画像表示部５は、入力された蓄積画像のデータを処理してその画像を形成し表示デバイス７（図１参照）にその画像を表示させる。
【００７０】
制御部３３は、画像表示部５による画像の形成及び表示デバイス７によるその画像の表示後、電源制御部４に電力供給の終了を伝え、電源制御部１４はこれを受けて画像表示部５への電力供給を終了する。画像表示部５及び表示デバイス７は、電力供給が終了しても電力供給時に形成した表示データに基づく画像を保持している。床１０に埋め込まれた床面設置反射型映像表示装置１００の表示デバイス７は、自然光若しくは蛍光灯等の人工の光を反射することで、その保持している画像を鮮明に表示する。これにより、床１０を通行する人々は、その画像を目視することができる。
【００７１】
制御部３３は、次のスケジュールと内部時計が一致した時点で、電源制御部４に電力供給の開始を伝える。電源制御部４は、これを受けて電源８から画像表示部５への電力の供給を開始する。又、制御部３３は、保存している別の蓄積画像１５のデータを画像表示部５に入力する。画像表示部５は、入力された蓄積画像のデータを処理して画像を形成し表示デバイス７にその画像を表示させる。制御部３３は、画像表示部５による画像の形成及び表示デバイス７によるその画像の表示完了後、電源制御部４に電力供給の終了を伝え、電源制御部１４はこれを受けて画像表示部５への電力供給を終了する。以降、この動作を繰り返す。
【００７２】
一方、何らかの理由により現在表示している画像を別の画像に切替える必要が生じた場合、操作者は、蓄積画像１５のうちの所望の画像を選択するよう選択スイッチ１９を操作する。制御装置１１は、選択スイッチ１９により選択された選択リストの位置を検知し、その選択リスト位置を示す選択信号を通信機１（図１参照）に送信する。通信部２は、通信機１からその選択信号を受け、これを制御部３３に入力する。
【００７３】
制御部３３は、選択信号を受けて電源制御部４に電力供給の開始を伝える。電源制御部４は、これを受けて画像表示部１３に電源８から電力の供給を開始する。又、制御部３３は、選択スイッチ１９により選択された選択リストに対応する蓄積画像のデータを、画像表示部５に入力する。画像表示部５は、入力された蓄積画像のデータを処理してその画像を表示デバイス７に表示する。制御部３３は、画像表示部５による表示終了後、電源制御部１４に電力供給の終了を伝える。電源制御部４は、これを受けて画像表示部５への電力供給を終了する。
【００７４】
実施の形態６による床面設置反射型映像表示装置によれば、選択スイッチにより、任意の時刻に表示画像を切り替えることができるので、操作する操作者の意図に応じた表示を行うことができる。
【００７５】
実施の形態７．
図９は、この発明の実施の形態７に係る床面設置反射型映像表示装置１００を備えた映像表示システム全体の動作を説明するための説明図である。図９に於いて、イベント検出装置２１は、発生したイベントを検出し、その検出したイベントに対応したイベントリストの位置を示す制御指令を発生する。制御部３４は、イベントリスト２２を備えると共に、夫々のイベントに対応した画像のデータを蓄積画像１５として備える。イベントリスト２２は、制御装置１１によりそのデータが通信機１に送信され、通信部２を介して制御部３４に入力されたデータを記憶手段に記憶して保存されたものである。その他の構成は、図３に示す実施の形態１と同様である。
【００７６】
次に動作について説明する。操作者は、制御装置１１に蓄積画像のデータ及びイベントリストのデータを準備する。次に、操作者は、制御装置１１から床面反射型映像表示装置１００の通信機１に送信する。通信部２は、通信機１からの蓄積画像のデータ及びイベントリストのデータを受け、これらを制御部３４に入力する。制御部３４は、入力された蓄積画像のデータを記憶手段に記憶して蓄積画像として保存し、又、イベントリストのデータを記憶手段に記憶してイベントリスト２０として保存する。
【００７７】
イベントが発生すると、イベント検出装置２１はその発生したイベントを検知し、床面設置反射型映像表示装置１００の通信機１にイベント検出信号を送信する。通信部２は、通信機１からのイベント検出信号を受け、これを制御部３４に入力する。制御部３４は、入力されたイベント検出信号に基づいて電源制御部４に電力供給開始を伝える。電源制御部４は、これを受けて画像表示部５に電源８（図１参照）から電力供給を開始する。又、制御部３４は、入力されたイベント検出信号に対応するイベントリスト２２の位置から、そのイベントに対応する蓄積画像１５のデータを画像表示部５に入力する。
【００７８】
画像表示部５は、入力されたデータを処理して画像を形成し表示デバイス７にその画像を表示する。制御部３４は、画像表示部５による画像の形成及び表示デバイス７によるその表示完了後、電源制御部４に電力供給の終了を伝える。電源制御部４は、それを受けて画像表示部５への電力供給を終了する。
【００７９】
実施の形態７による床面設置反射型映像表示装置によれば、イベント検出装置からの指令によりイベントに合わせた画像の表示を行うことができることから、例えばドアの開閉をイベントとして扱うことにより、ドアが開いたことに呼応して自動的に画像の表示を切り替えることができる。
【００８０】
実施の形態８．
図１０は、この発明の実施の形態８に係る床面設置反射型映像表示装置１００を備えた映像表示システム全体の動作を説明するための説明図である。図１０に於いて、複数の床面設置反射型映像表示装置１００を配列した床面設置反射型映像表示装置群２００を備える。連鎖制御装置６は、夫々の床面設置反射型映像表示装置１００に対応した連鎖画像２４と連鎖リスト２５を備える。連鎖画像２４と連鎖リスト２５とは、夫々記憶手段に記憶されている。
【００８１】
記憶された連鎖画像は、床面設置反射型映像表示装置群２００により動画を表示させる場合の画像、或いは床面設置反射型映像表示装置群２００によりある静止画像を表示する場合に各床面設置反射型映像表示装置１００に表示させるべき個々の断片画像であり得る。
【００８２】
又、記憶された連鎖リストは、動画を床面設置反射型映像表示装置群２００に表示する場合には夫々の床面設置反射型映像表示装置１００に表示させる画像とその表示順序のリストであり得る。床面設置反射型映像表示装置群２００に静止画像を表示する場合は夫々の床面設置反射型映像表示装置１００とそれに表示させる断片画像の関係を示すリストであり得る。夫々の床面設置反射型映像表示装置１００の構成は、図１に示す実施の形態１の床面設置反射型映像表示装置１００と同様である。
【００８３】
次に動作について説明する。図１０及び図１に於いて、操作者は、連鎖制御装置６に連鎖画像１４と連鎖リスト２５のデータを準備する。次に、操作者の指示により、連鎖制御装置６は、連鎖リスト２５に従って所定の複数の床面設置反射型映像表示装置１００の通信機１（図１参照）に、連鎖画像２４の表示指令と夫々の床面設置反射型映像表示装置１００に対応した連鎖画像のデータとを送信する。
【００８４】
連鎖リスト２５に基づく連鎖表示信号と連鎖画像２４のデータとを受信した夫々の床面設置反射型映像表示装置１００の通信機１は、それら信号を通信部２に入力する。通信部２は、入力された連鎖表示信号と連鎖画像のデータを制御部３に入力する。制御部３は、入力された連鎖表示信号に基づいて電源制御部４に電力供給の開始を伝え、電源制御部４により電源８から画像表示部５に電力の供給を開始させる。又、制御部３は、連鎖画像のデータを画像表示部５に入力する。画像表示部５は、入力された連鎖画像のデータを処理して画像を形成し表示デバイス７にその画像を表示させる。
【００８５】
制御部３は、画像表示部５による画像の形成及び表示デバイス７によるその画像の表示後、電源制御部４に電力供給の終了を伝え、電源制御部１４はこれを受けて画像表示部５への電力供給を終了する。画像表示部５及び表示デバイス７は、電力供給が終了しても電力供給時に形成した表示データに基づく画像を保持している。床１０に埋め込まれた複数の床面設置反射型映像表示装置１００からなる床面設置反射型映像表示装置群２００の表示デバイス７は、自然光若しくは蛍光灯等の人工の光を反射することで、その保持している画像を鮮明に表示し、全体として所定の連鎖画像を表示する。これにより、床１０を通行する人々は、その画像を目視することができる。
【００８６】
表示する画像を変更するときは、操作者は、連鎖リスト２５により連鎖画像２４から所望の画像を選択し、連鎖制御装置２３により、連鎖画像の連鎖表示信号と選択した連鎖画像のデータとを、対応する床面設置反射型映像表示装置１００の通信機１へ送信する。これにより、前述と同様にして選択された画像を床面設置反射型映像表示装置群２００により表示する。
【００８７】
又、連鎖リスト２５を、夫々の床面設置反射型映像表示装置１００に連続して異なる画像を表示させるリストとし、この連鎖リストに従って、連鎖制御装置２３により夫々の床面設置反射型映像表示装置１００に、それらに対応する連鎖画像を連続して送信するようにすることで、図１０に示すように、例えば矢印を動的に床面設置反射型映像表示装置群２００に表示させることができる。
【００８８】
実施の形態８による床面設置反射型映像表示システムによれば、複数の反射型映像表示装置を組み合わせて扱うことができ、表示解像度が不足する場合に複数の反射型映像表示装置を並べることにより補ったり、離れた場所に設置した床面設置反射型映像表示装置群に順序立て連鎖した動的な画像を表示することができる。
【図面の簡単な説明】
【００８９】
【図１】この発明の実施の形態１に係る床面設置反射型映像表示装置の構成を示すブロック図である。
【図２】この発明の実施の形態１に係る床面設置反射型映像表示装置の設置状態を説明する説明図である。
【図３】この発明の実施の形態１に係る床面設置反射型映像表示装置の動作を説明するための説明図である。
【図４】この発明の実施の形態２に係る床面設置反射型映像表示装置の動作を説明するための説明図である。図である。
【図５】この発明の実施の形態３に係る床面設置反射型映像表示装置の動作を説明するための説明図である。図を示す。
【図６】この発明の実施の形態４に係る床面設置反射型映像表示装置の動作を説明するための説明図である。
【図７】この発明の実施の形態５に係る床面設置反射型映像表示装置の動作を説明するための説明図である。図である。
【図８】この発明の実施の形態６に係る床面設置反射型映像表示装置の動作を説明するための説明図である。
【図９】この発明の実施の形態７に係る床面設置反射型映像表示装置の動作を説明するための説明図である。
【図１０】この発明の実施の形態８に係る床面設置反射型映像表示装置の動作を説明するための説明図である。
【符号の説明】
【００９０】
１    通信機
２    通信部
３、３１、３２、３３、３４    制御部
４、４１、４２    電源制御部
５    画像表示部
６    表示装置制御部
７    表示デバイス
８    電源
９    外部記憶手段
１０    床
１００    床面設置反射型映像表示装置
１１    制御装置
１２    データカード
１３    内部時計
１４    表示スケジュール
１５    蓄積画像
１６    電源タイマー
１７    緊急割込み装置
１８    緊急割込み画像
１９    選択スイッチ
２０    選択リスト
２１    イベント検出装置
２２    イベントリスト
２３    連鎖制御装置
２４    連鎖画像
２５    連鎖リスト
２００    床面設置反射型映像表示装置群
【図１】
2008003137.tif 000003
【図２】
2008003137.tif 000004
【図３】
2008003137.tif 000005
【図４】
2008003137.tif 000006
【図５】
2008003137.tif 000007
【図６】
2008003137.tif 000008
【図７】
2008003137.tif 000009
【図８】
2008003137.tif 000010
【図９】
2008003137.tif 000011
【図１０】
2008003137.tif 000012